(57)【要約】      （修正有）【課題】労力の軽減と作業効率を図った動力式のネジ締め具を提供する。【解決手段】上部にパイプ取手１、開閉レバーガイドパイプ２及びロックレバーガイドパイプ４を取付けた回転軸ガイドパイプ６の下端を本体ケース７の上部に緊結し、上端に六角棒８及び上部側面に回転軸取手９を取付けた回転軸１０を回転自在に取付け、本体ケース７内の回転軸１０にウオームギヤーＡ１３を緊結し、ウオームギヤーＢ１４を取付けた締めリング１５をガイドベースリング１６の溝に沿って回動自在となるように又ウオームギヤーＡ１３とウオームギヤーＢ１４とが互いに噛み合うように取付け、半割りにされた締めリング１５及びガイドベースリング１６はレバー式の開閉機構により開閉自在とし、開閉機構を閉じたときにホルダーケース１７が開かないようにするレバー式のロック機構を設けた。【選択図】図１
2012135861.tif 000002
【特許請求の範囲】
【請求項１】
上部にパイプ取手、開閉レバーガイドパイプ及びロックレバーガイドパイプを取付けた回転軸ガイドパイプの下端を本体ケースの上部に緊結し、上端に六角棒及び上部側面に回転軸取手を取付けた回転軸を、前記回転軸ガイドパイプに挿入して本体ケースの下端にベアリング及び回転軸止めネジにて回転自在に取付け、本体ケース内の回転軸にウオームギヤーＡを緊結し、ウオームギヤーＢを取付けた締めリングを、本体ケース及びホルダーケース内に緊結されたガイドベースリングの溝に沿って回動自在となるように又ウオームギヤーＡとウオームギヤーＢとが互いに噛み合うように取付け、ホルダーケース内に納められたウオームギヤーＢ、締めリング及びガイドベースリングと、本体ケース内に納められたウオームギヤーＢ、締めリング及びガイドベースリングとは半割りにされて、これをレバー式の開閉機構により開閉自在とし、開閉機構を閉じたときにホルダーケースが開かないようにするレバー式のロック機構を設けた、ネジ節鉄筋継手のネジ締め具。
【請求項２】
請求項１に記載のレバー式の開閉機構は、上端に開閉レバー取手を取付けた開閉レバーを開閉レバーガイドパイプに挿入して通し、その先に開閉ジョイントＡを揺動可能に接続し、さらにその先に開閉ジョイントＢをジョイント止めネジＡにより揺動可能に接続し、開閉ジョイントＢの先端はホルダーケースの下部に緊結され、開閉ジョイントＢの中間部は本体ケース下部のリブにジョイント止めネジＢにて取付けられ，開閉ジョイントＢがジョイント止めネジＢを中心として揺動し、開閉レバーを下げたときにホルダーケースが閉じ、開閉レバーを上げたときにホルダーケースが開く機構である。
【請求項３】
請求項１に記載のレバー式のロック機構は、上端にロックレバー取手を取付けたロックレバーをロックレバーガイドパイプに挿入して通し、その下端にロック板を揺動可能に取付け、これを本体ケースにロック板止めネジにて揺動可能に取付け、ホルダーケース側にはロックピンを取付けて、ロックレバーを上げたときにはロック板が揺動してその下部に設けられたロックピン溝にロックピンが嵌まり込んでロックされ、ロックレバーを下げたときにはロックが外れる機構である。
【発明の詳細な説明】
【技術分野】
【０００１】  本発明は、ネジ節鉄筋を継手により接続する場合の継手のネジ締め具に関するものである。
【背景技術】
【０００２】  高層建築等に使用される鉄筋は、一般にネジ山を持つネジ節鉄筋と呼ばれる鉄筋が使用される。この鉄筋を接続して使用しなければならない場合があり、内側にネジ山を持つ継手によって接続される。継手の外側には六角形や十角形が形成された部分があり、ここにスパナを当て締めて接続する。
しかし、鉄筋のネジ節と継手のネジの具合によってはしっくりいかないでかなり力を必要とする場合があり、また、狭い高所での作業ではスパナを使用するのが大変で時間がかかることもある。
【発明の概要】
【発明が解決しようとする課題】
【０００３】  ネジ節鉄筋を継手を使用して接続する場合に、スパナを使用して接続するのは労力と時間がかかる。
そこで本発明は、動力により締めることにより労力を軽減し、作業効率を上げるネジ節鉄筋継手のネジ締め具を提供するものである。
【課題を解決するための手段】
【０００４】    上部にパイプ取手、開閉レバーガイドパイプ及びロックレバーガイドパイプを取付けた回転軸ガイドパイプの下端を本体ケースの上部に緊結する。上端に六角棒及び上部側面に回転軸取手を取付けた回転軸を前記回転軸ガイドパイプに挿入して本体ケースの下端にベアリング及び回転軸止めネジにて回転自在に取付け、本体ケース内の回転軸にウオームギヤーＡを緊結する。ウオームギヤーＢを取付けた締めリングを本体ケース及びホルダーケース内に緊結されたガイドベースリングの溝に沿って回動自在となるように又ウオームギヤーＡとウオームギヤーＢが互いに噛み合うように取付ける。ホルダーケース内に納められたガイドベースリング、締めリング及びウオームギヤーＢと、本体ケース内に納められたガイドベースリング、締めリング及びウオームギヤーＢとは半割りにされて、これをレバー式の開閉機構により開閉自在とし、開閉機構を閉じたときにホルダーケースが開かないようにするレバー式のロック機構を設けた、ネジ節鉄筋継手のネジ締め具である。
上記レバー式の開閉機構は、上端に開閉レバー取手を取付けた開閉レバーを開閉レバーガイドパイプに挿入して通し、その先に開閉ジョイントＡを揺動可能に接続し、さらにその先に開閉ジョイントＢをジョイント止めネジＡにより揺動可能に接続する。開閉ジョイントＢの先端はホルダーケースの下部に緊結され、開閉ジョイントＢの中間部は本体ケース下部のリブにジョイント止めネジＢにて取付けられ，開閉ジョイントＢがジョイント止めネジＢを中心として揺動し、開閉レバー取手を下げたときにホルダーケースが閉じ、開閉レバー取手を上げたときにホルダーケースが開く。
上記レバー式のロック機構は、上端にロックレバー取手を取付けたロックレバーをロックレバーガイドパイプに挿入して通し、その下端にロック板を揺動可能に取付ける。ロック板を本体ケースにロック板止めネジにて揺動可能に取付ける。ホルダーケース側にはロックピンを取付けて、ロックレバー取手を上げたときにはロック板が揺動して該ロック板下部に設けられたロックピン溝にロックピンが嵌まり込んでロックされ、ロックレバー取手を下げたときにはロックが外れる。
【発明の効果】
【０００５】  従来、ネジ節鉄筋を接続する継手をスパナでしめていたが、労力と時間がかかった。これを本発明を用いて動力で締めることにより労力の軽減と作業効率の向上が図られる。
作業時間は、手作業に比べ３分の１から４分の１に短縮される。
【図面の簡単な説明】
【０００６】
【図１】本発明の閉じた状態を示す図（一部破断図）
【図２】本発明の開いた状態を示す図
【図３】本体ケース内及びホルダーケース内の回転部の分解断面図
【図４】ネジ節鉄筋及び継手を示す図
【発明を実施するための形態】
【０００７】  本発明の構造を図１により説明する。
上部にパイプ取手（１）、開閉レバーガイドパイプ（２）及びロックレバーガイドパイプ（４）を取付けた回転軸ガイドパイプ（６）の下端を本体ケース（７）の上部に緊結する。上端に六角棒（８）及び上部側面に回転軸取手（９）を取付けた回転軸（１０）を前記回転軸ガイドパイプ（６）に挿入して本体ケース（７）の下端にベアリング（１１）及び回転軸止めネジ（１２）にて回転自在に取付け、本体ケース（７）内の回転軸（１０）にウオームギヤーＡ（１３）を緊結する。ウオームギヤーＢ（１４）を取付けた締めリング（１５）を本体ケース（７）及びホルダーケース（１７）内に緊結されたガイドベースリング（１６）の溝に沿って回動自在となるように取付け、またウオームギヤーＡ（１３）とウオームギヤーＢ（１４）とが互いに噛み合うように取付ける。ホルダーケース（１７）内に納められたウオームギヤーＢ（１４）、締めリング（１５）及びガイドベースリング（１６）と、本体ケース（７）内に納められたウオームギヤーＢ（１４）、締めリング（１５）及びガイドベースリング（１６）とは半割りにされて、これをレバー式の開閉機構により開閉自在とし、開閉機構を閉じたときにホルダーケース（１７）が開かないようにするレバー式のロック機構を設ける。
上記レバー式の開閉機構は、上端に開閉レバー取手（１８）を取付けた開閉レバー（１９）を開閉レバーガイドパイプ（２）に挿入して通し、その先に開閉ジョイントＡ（２０）を揺動可能に接続し、さらにその先に開閉ジョイントＢ（２１）をジョイント止めネジＡ（２２）により揺動可能に接続する。開閉ジョイントＢ（２１）の先端部はホルダーケース（１７）の下部に緊結され、該開閉ジョイントＢ（２１）の中間部は本体ケース（７）下部のリブ（７ａ）にジョイント止めネジＢ（２３）にて取付けられ，開閉ジョイントＢ（２１）がジョイント止めネジＢ（２３）を中心として揺動し、開閉レバー取手（１８）を下げたときにホルダーケース（１７）が閉じ、開閉レバー取手（１８）を上げたときにホルダーケース（１７）が開く。（図２参照）
上記レバー式のロック機構は、上端にロックレバー取手（２４）を取付けたロックレバー（２５）をロックレバーガイドパイプ（４）に挿入して通し、その下端にロック板（２６）を揺動可能に取付ける。ロック板（２６）を本体ケース（７）にロック板止めネジ（２７）にて揺動可能に取付ける。ホルダーケース（１７）側にはロックピン（２８）を取付けて、ロックレバー取手（２４）を上げたときにはロック板（２６）がロック板止めネジ（２７）を中心にして揺動してロックピン溝（２６ａ）にロックピン（２８）が嵌り込んでロックされ、ロックレバー取手（２４）を下げたときにはロックピン溝（２６ａ）がロックピン（２８）から外れてロックが解除される。（図２参照）
開閉機構のホルダーケース（１７）を開いた状態、あるいは閉じた状態の維持を確実にするためには、開閉レバー止めネジ（３）を締めて開閉レバー（１９）を固定する。
同様にロック機構のロックされた状態、あるいは解除された状態の維持を確実にするためには、ロックレバー止めネジ（５）を締めてロックレバー（２５）を固定する。
【０００８】  本発明は、回転軸取手（９）を手で回すことにより手動式とすることもできるが、継手（３０）を締めるために使用する場合は電動ドリルによる電動式とするほうが効率的である。
回転軸（１０）が回転すると同軸に取付けられたウオームギヤーＡ（１３）が回転し、それと噛合ったウオームギヤーＢ（１４）が回転する。つまり、回転軸（１０）を回転するとウオームギヤーＡ（１３）を水平に回転させ、それと噛合ったウオームギヤーＢ（１４）により垂直回転に変換されるわけである。ウオームギヤーＡ（１３）とウオームギヤーＢ（１４）の回転比は４０：１位が適当と思われる。
ウオームギヤーＢ（１４）は締めリング（１５）に緊結され、締めリング（１５）のフランジ（１５ａ）はガイドベースリング（１６）のガイド溝（１６ａ）に嵌め込まれているので、ウオームギヤーＢ（１４）と締めリング（１５）はガイドベースリング（１６）のガイド溝（１６ａ）に沿って回転する。（図３参照）
締めリング（１５）の内角は１０角で、継手（３０）の角度に対応している。
【０００９】  本発明を使用するときは、まず回転軸取手（９）を手で回して本体ケース（７）内とホルダーケース（１７）内のウオームギヤーＢ（１４）及び締めリング（１５）の分割面の位置が本体ケース（７）及びホルダーケース（１７）の各端面と同一となるように調整する。
次にロックレバー取手（２４）を下げてロックを解除し、開閉レバー取手（１８）を上げてホルダーケース（１７）を開く。
ホルダーケース（１７）を開いた状態で、鉄筋（２９）にくわえた継手（３０）の下に持っていき、開閉レバー取手（１８）を下げてホルダーケース（１７）を閉じる。それからロックレバー取手（２４）を上げてロックする。この状態で開閉レバー止めネジ（３）及びロックレバー止めネジ（５）を締めておく。
電動ドリルで六角棒（８）をくわえて正転すると継手（３０）が鉄筋（２９）に嵌り込む。継手（３０）を鉄筋（２９）から外したい場合は電動ドリルの回転を逆転する。
電動ドリルで継手（３０）を締めた場合は、手作業に比べ作業時間が３分の１から４分の１に短縮され、労力も軽減される。
【符号の説明】
【００１０】  １    パイプ取手
２    開閉レバーガイドパイプ
３    開閉レバー止めネジ
４    ロックレバーガイドパイプ
５    ロックレバー止めネジ
６    回転軸ガイドパイプ
７    本体ケース
７ａ  リブ
８    六角棒
９    回転軸取手
１０    回転軸
１１    ベアリング
１２    回転軸止めネジ
１３    ウオームギヤーＡ
１４    ウオームギヤーＢ
１５    締めリング
１５ａ  フランジ
１６    ガイドベースリング
１６ａ  ガイド溝
１７    ホルダーケース
１８    開閉レバー取手
１９    開閉レバー
２０    開閉ジョイントＡ
２１    開閉ジョイントＢ
２２    ジョイント止めネジＡ
２３    ジョイント止めネジＢ
２４    ロックレバー取手
２５    ロックレバー
２６    ロック板
２６ａ  ロックピン溝
２７    ロック板止めネジ
２８    ロックピン
２９    鉄筋
３０    継手
【図１】
2012135861.tif 000003
【図２】
2012135861.tif 000004
【図３】
2012135861.tif 000005
【図４】
2012135861.tif 000006